(57)【要約】【課題】  上筐体および下筐体の側部が下方を向くように載置面に載置した際に、表示部を所望の角度に維持できる携帯端末を提供する。【解決手段】  携帯端末１０は、上筐体１１および下筐体１２と、上筐体１１および下筐体１２を回動可能なヒンジ部１４と、上筐体１１に設けられた表示部１５と、下筐体１２にボタン等の操作部１７とを備える。この携帯端末１０は、上筐体１１および下筐体１２の交差角度θ１を略直角とした状態で、図３に示すように、上筐体１１の一方の側部１８および下筐体１２の一方の側部１９を下方に向けてテーブル等の載置面２０に載置するときに、表示部１５の画面１５Ａを載置面２０に対して所望の仰角θ２に維持可能な仰角維持手段２２が設けられている。【選択図】    図３
2006135830.tif 000002
【特許請求の範囲】
【請求項１】
第１筐体および第２筐体と、前記第１筐体および前記第２筐体間に配置され、かつ、前記第１筐体および前記第２筐体の境界線に沿った線を中心として回動可能なヒンジ部と、前記第１筐体に設けられた表示部とを備える携帯端末であって、
前記第１筐体および前記第２筐体の交差角度を略直角とした状態で、前記第１筐体および前記第２筐体の側部を下方に向けて載置面に載置するときに、前記表示部を前記載置面に対して所望の仰角に維持可能な仰角維持手段が設けられていることを特徴とする携帯端末。
【請求項２】
前記仰角維持手段が、前記第２筐体の側部に設けられた突起部を有していることを特徴とする請求項１に記載の携帯端末。
【請求項３】
前記突起部が前記第２筐体に収納可能であることを特徴とする請求項２に記載の携帯端末。
【請求項４】
前記突起部が前記第２筐体の側部に沿って移動可能であることを特徴とする請求項２に記載の携帯端末。
【請求項５】
前記仰角維持手段が、前記第２筐体の平面形状が先端に向かって拡開する台形状を有していることを特徴とする請求項１に記載の携帯端末。
【請求項６】
前記仰角維持手段が、前記第１筐体の背面および前記第２筐体の第２背面のうちの一方に設けられた支持部を有していることを特徴とする請求項１に記載の携帯端末。
【発明の詳細な説明】
【技術分野】
【０００１】
本発明は、動画再生やＴＶ視聴可能な機能を備えた携帯端末に関する。
【背景技術】
【０００２】
近年、携帯電話機等の携帯端末が広く普及しているが、この携帯端末には、折り畳みタイプのものがある。
折り畳み式の携帯端末は、ヒンジ式の連結部を介して上筐体および下筐体が回動自在に連結され、上筐体にLCD等の表示部が設けられ、下筐体にボタン等の操作部が設けられている。
【０００３】
この携帯端末は、上筐体および下筐体を連結部で相対的に回動させることにより、各筐体が互いに積層して配置される携帯状態と、各筐体が互いに離れて配置される使用状態とに切り換え可能に構成されている。
一般に、携帯端末の表示部は、縦横比が異なる矩形状に形成され、上筐体および下筐体の配列方向に長手方向が沿うように上筐体に配置（いわゆる縦長使い）されている。
【０００４】
ところで、近年の携帯端末には、動画再生やＴＶ視聴可能な機能を備えたものがある。  表示部で、動画を再生する場合や、ＴＶを視聴する場合には、表示部を横長にして使用する、横長使いが採用されている。
このため、表示部で、動画を再生する場合や、ＴＶを視聴する場合には、携帯端末を上筐体および下筐体の側部が下方を向くように、テーブル等の載置面に載置する（例えば、特許文献１）。
【特許文献１】特開２００２−３６８８５５号公報
【発明の開示】
【発明が解決しようとする課題】
【０００５】
しかし、携帯端末を上筐体および下筐体の側部が下方を向くように、テーブル等の載置面に載置すると、表示部の画面が載置面に対して略垂直となる。
このため、視聴者が画面を上から見下ろす場合、表示部の画面が見にくいという問題がある。
【０００６】
本発明は上記事情に鑑みてなされたもので、上筐体および下筐体の側部が下方を向くように載置面に載置した際に、表示部を所望の角度に維持できる携帯端末を提供することを目的とする。
【課題を解決するための手段】
【０００７】
本発明の携帯端末は、第１筐体および第２筐体と、前記第１筐体および前記第２筐体間に配置され、かつ、前記第１筐体および前記第２筐体の境界線に沿った線を中心として回動可能なヒンジ部と、前記第１筐体に設けられた表示部とを備える携帯端末であって、前記第１筐体および前記第２筐体の交差角度を略直角とした状態で、前記第１筐体および前記第２筐体の側部を下方に向けて載置面に載置するときに、前記表示部を前記載置面に対して所望の仰角に維持可能な仰角維持手段が設けられていることを特徴とする。
【０００８】
仰角維持手段は、第１筐体および前記第２筐体の交差角度を略直角とした状態で、各筐体の側部を下方に向けて載置面に載置したときに、表示部を載置面に対して所望の仰角に維持する。
このような携帯端末においては、動画を再生する場合や、ＴＶを視聴する場合に、表示部の画面を上向きに配置することが可能になり、画面を上から見下ろす際に、画面が見やすくなる。
【０００９】
また、本発明の携帯端末は、前記仰角維持手段が、前記第２筐体の側部に設けられた突起部を有していることを特徴とする。
【００１０】
このような携帯端末においては、仰角維持手段を、第２筐体の側部に設けた突起部とすることで、簡単な構成で表示部の画面を確実に上向きに配置できる。
【００１１】
また、本発明の携帯端末は、前記突起部が前記第２筐体に収納可能であることを特徴とする。
【００１２】
このような携帯端末においては、突起部を第２筐体に収納可能とすることで、携帯時や通話時に突起部を収納することで、使い勝手の向上が図れる。
【００１３】
また、本発明の携帯端末は、前記突起部が前記第２筐体の側部に沿って移動可能であることを特徴とする。
【００１４】
このような携帯端末においては、突起部を第２筐体の側部に沿って移動可能とすることで、突起部の位置を調整して、画面の仰角が調整可能である。
すなわち、このような携帯端末においては、画面の仰角を調整することで、画面がより一層見やすくなり、使い勝手が向上する。
【００１５】
また、本発明の携帯端末は、前記仰角維持手段が、前記第２筐体の平面形状が先端に向かって拡開する台形状を有していることを特徴とする。
【００１６】
このような携帯端末においては、仰角維持手段を、第２筐体の平面形状が先端に向かって拡開する台形状とすることで、突起部を設けることなく、動画を再生する場合や、ＴＶを視聴する場合に、表示部の画面を上向きに配置することが可能になり、構成の簡素化が図れる。
【００１７】
また、本発明の携帯端末は、前記仰角維持手段が、前記第１筐体の背面および前記第２筐体の背面のうちの一方に設けられた支持部を有していることを特徴とする。
【００１８】
このような携帯端末においては、仰角維持手段を、第１筐体の背面および第２筐体の背面のうちの一方に設けられた支持部とすることで、携帯端末の用途に合わせて、支持部の位置を選択でき、設計の自由度が高められる。
【発明の効果】
【００１９】
本発明によれば、携帯端末に仰角維持手段を設けることで、上筐体および下筐体の側部が下方を向くように載置面に載置した場合にも、表示部を所望の角度に維持し、動画の再生やＴＶ視聴の際に画面を見やすくできるという効果を有する。
【発明を実施するための最良の形態】
【００２０】
図１に示すように、第１実施形態の携帯端末１０は、上筐体（第１筐体）１１および下筐体（第２筐体）１２と、上筐体１１および下筐体１２間に配置され、かつ、上筐体１１および下筐体１２の境界線に沿った線１３を中心として回動可能なヒンジ部１４と、上筐体１１に設けられた表示部１５と、下筐体１２にボタン等の操作部１７とを備える。
【００２１】
この携帯端末１０は、上筐体１１および下筐体１２の交差角度θ１を略直角とした状態で、図３に示すように、上筐体１１の一方の側部（側部）１８および下筐体１２の一方の側部（側部）１９を下方に向けてテーブル等の載置面２０に載置するときに、表示部１５の画面１５Ａを載置面２０に対して所望の仰角θ２に維持可能な仰角維持手段２２が設けられている。
【００２２】
図２に示すように、仰角維持手段２２は、下筐体１２の一方の側部１９に収納凹部２３を略矩形状の形成し、この収納凹部２３に収納可能に一対の突起部２５を有し、一対の突起部２５を略矩形状のプレート２６に設け、このプレート２６をヒンジ２７を介して、突起部２５を収納凹部２３に収納する収納位置と、突起部２５を一方の側部１９から突出させる突出位置とに揺動可能に設けたものである。
【００２３】
この仰角維持手段２２によれば、プレート２６を収納位置に配置することで、収納凹部２３に突起部２５を収納して、一方の側部１９を平坦に保つ（図１参照）。
突起部２５を収納凹部２３に収納可能とすることで、携帯時や通話時に突起部２５を収納することで、携帯端末１０の使い勝手の向上が図れる。
一方、仰角維持手段２２のプレート２６を突出位置に配置することで、一方の側部１９から突起部２５を突出させた状態に保つ。
【００２４】
第１実施形態の携帯端末１０によれば、表示部１５で、動画を再生する場合や、ＴＶを視聴する場合には、図２に示すように、プレート２６を突出位置に配置することで、一方の側部１９から突起部２５を突出させた状態に保つ。
さらに、図３に示すように、上筐体１１および下筐体１２をヒンジ部１４を軸にして揺動して、各々の筐体１１，１２の交差角度θ１を略直角とした状態で、各筐体１１，１２の一方の側部１８，１９を下方に向けて載置面２０に載置する。
【００２５】
下筐体１２の一方の側部１９から突出した突起部２５が載置面２０に載置されるとともに、上筐体１１の一方の側部１８が載置面２０に載置される。
これにより、下筐体１２がヒンジ部１４から下端部１２Ａに向けて上り勾配となり、上筐体１１に備えた表示部１５の画面１５Ａが所望の仰角θ２の状態に保持される。
表示部１５の画面１５Ａを上向きに配置され、利用者２８が画面１５Ａを上から見下ろす際に、画面１５Ａが見やすくなる。
【００２６】
さらに、第１実施形態の携帯端末１０によれば、下筐体１２の一方の側部１９から突起部２５を突出するだけの、簡単な構成で表示部１５の画面１５Ａを確実に上向きに配置できる。
【００２７】
なお、第１実施形態の携帯端末１０では、突起部２５を収納凹部２３に収納する収納位置と、突起部２５を一方の側部１９から突出させる突出位置とに揺動可能に構成した例について説明したが、これに限らないで、突起部２５を、一方の側部１９に、突出した状態で固定させることも可能である。
【００２８】
次に、第２実施形態〜第１０実施形態を図４〜図１２に基づいて説明する。なお、第２実施形態〜第１０実施形態において、第１実施形態と同一類似部材については同一符号を付して説明を省略する。
【００２９】
第２実施形態
図４（Ａ），（Ｂ）に示す第２実施形態の携帯端末３０は、第１実施形態の仰角維持手段２２に代えて仰角維持手段３２を備えた点で第１実施形態の携帯端末１０と相違するだけでその他の構成は第１実施形態の携帯端末１０と同じである。
【００３０】
仰角維持手段３２は、下筐体１２の一方の側部１９に収納凹部３３を略矩形状の形成し、この収納凹部３３に収納可能な突起体３５を有し、収納凹部３３に突起体３５を収納した状態で突出体３５の平坦面３５Ａが一方の側部１９と面一になり、突起体３５を反転することにより、突出体３５の突起部３５Ｂが一方の側部１９から突出するように構成したものである。
第２実施形態の携帯端末３０によれば、第１実施形態の携帯端末１０と同様の効果を得ることができる。
【００３１】
第３実施形態
図５に示す第３実施形態の携帯端末４０は、第１実施形態の仰角維持手段２２に代えて仰角維持手段４２を備えた点で第１実施形態の携帯端末１０と相違するだけでその他の構成は第１実施形態の携帯端末１０と同じである。
【００３２】
仰角維持手段４２は、下筐体１２の一方の側部１９に収納凹部４３を形成し、この収納凹部４３に矢印の方向に突没可能な突起部４５を有し、収納凹部４３に突起部４５を没入した状態で突出部４５が一方の側部１９と面一になり、収納凹部４３から突起部４５を押し出すことにより、突出部４５が一方の側部１９から突出するように構成したものである。
【００３３】
仰角維持手段４２の一例として、突起部４５を押すことによって、収納凹部４３内に収納し、この状態で、突起部４５を再度押すことによって、収納凹部４３内から押し出すように構成されたPush-Pushスイッチがある。
第３実施形態の携帯端末４０によれば、第１実施形態の携帯端末１０と同様の効果を得ることができる。
【００３４】
第４実施形態
図６に示す第４実施形態の携帯端末５０は、第１実施形態の仰角維持手段２２に代えて仰角維持手段５２を備えた点で第１実施形態の携帯端末１０と相違するだけでその他の構成は第１実施形態の携帯端末１０と同じである。
【００３５】
仰角維持手段５２は、下筐体１２の一方の側部１９に収納凹部５３を形成し、この収納凹部５３の一端部にヒンジ５４を介して突起部５５を矢印方向に揺動自在に設け、収納凹部５３に突起部５５を収納した状態で突出部５５が一方の側部１９と面一になり、収納凹部５３から突起部５５を揺動させて、突出部５５が一方の側部１９から突出するように構成したものである。
第４実施形態の携帯端末５０によれば、第１実施形態の携帯端末１０と同様の効果を得ることができる。
【００３６】
第５実施形態
図７（Ａ），（Ｂ）に示す第５実施形態の携帯端末６０は、第１実施形態の仰角維持手段２２に代えて仰角維持手段６２を備えた点で第１実施形態の携帯端末１０と相違するだけでその他の構成は第１実施形態の携帯端末１０と同じである。
【００３７】
仰角維持手段６２は、下筐体１２の一方の側部１９に、基端部１９Ａから先端部１９Ｂに向けてガイド溝６３を形成し、このガイド溝６３にスライダ６４を介して突起部６５を矢印方向にスライド自在に設けることで、突出部６５を一方の側部１９から突出するように構成したものである。
【００３８】
ガイド溝６３に沿ってスライダ６４をスライドさせることで、突出部６５の位置を任意に選択可能である。
突出部６５に取付孔６６を形成することで、取付孔６６にストラップ６７を取り付けることが可能である。
【００３９】
第５実施形態の携帯端末６０によれば、第１実施形態の携帯端末１０と同様の効果を得ることができる。
さらに、ガイド溝６３に沿って突出部６５の位置を変えることで、動画を再生する場合や、ＴＶを視聴する際に、表示部１５の画面１５Ａの仰角θ２を所望の角度に調整できる。
加えて、突出部６５の取付孔６６にストラップ６７を取り付けることで、携帯端末６０にストラップ６７の取付孔を個別に設ける必要がなく、意匠性が高められるとともに、設計の自由度が高められる。
【００４０】
第６実施形態
図８に示す第６実施形態の携帯端末７０は、第１実施形態の仰角維持手段２２に代えて仰角維持手段７２を備えた点で第１実施形態の携帯端末１０と相違するだけでその他の構成は第１実施形態の携帯端末１０と同じである。
【００４１】
仰角維持手段７２は、下筐体１２の一方の側部１９に、基端部１９Ａから先端部１９Ｂに向けてガイド溝７３を形成し、このガイド溝７３に突起部７５を矢印方向にスライド自在に設け、基端部１９Ａに突起部７５を収納する収納凹部７６を設けたものである。
【００４２】
収納凹部７６から突出部７５を取り出すことで、突出部７５を一方の側部１９から突出する。
また、突出部７５をガイド溝７３に沿ってスライドさせることで、突出部７５の位置を任意に選択可能である。
【００４３】
第６実施形態の携帯端末７０によれば、第１実施形態の携帯端末１０と同様の効果を得ることができる。
さらに、ガイド溝７３にそって突出部７５の位置を変えることで、動画を再生する場合や、ＴＶを視聴する際に、表示部１５の画面１５Ａの仰角θ２を所望の角度に調整できる。
【００４４】
第７実施形態
図９（Ａ），（Ｂ）に示す第７実施形態の携帯端末８０は、第１実施形態の仰角維持手段２２に代えて仰角維持手段８２を備えた点で第１実施形態の携帯端末１０と相違するだけでその他の構成は第１実施形態の携帯端末１０と同じである。
【００４５】
仰角維持手段８２は、上筐体（第１筐体）８３の平面形状が先端８３Ａに向かって拡開する台形状に形成されるとともに、下筐体（第２筐体）８４の平面形状が先端８４Ａに向かって拡開する台形状に形成されている。
具体的には、上筐体８３の一方の側部８５Ａおよび他方の側部８５Ｂが、先端８３Ａに向かって外向きに傾斜角θ４で傾斜されるとともに、下筐体８４の一方の側部８６Ａおよび他方の側部８６Ｂが、先端８４Ａに向かって外向きに傾斜角θ４で傾斜されている。
【００４６】
第７実施形態の携帯端末８０によれば、上筐体８３および下筐体８４の交差角度θ１を、例えば略直角、あるいは直角以上とした状態で、上筐体８３の一方の側部８５Ａおよび下筐体８４の一方の側部８６Ａを載置面２０に載置することで、表示部１５の画面１５Ａが所望の仰角θ２の状態に保持される。
【００４７】
図９（Ｃ）に第７実施形態の変形例を示す。変形例の携帯端末８７は、仰角維持手段８８を備える。この仰角維持手段８８は、上下の筐体８３，１８４一方の側部８５Ａ，８６Ａのみが、先端に向かって外向きに傾斜角θ４で傾斜されている。
【００４８】
変形例の携帯端末８７によれば、第７実施形態の携帯端末８０と同様の効果を得ることができる。
【００４９】
なお、第７実施形態の携帯端末８０では、上下の筐体８３，８４の平面形状が、それぞれ先端８３Ａ，８４Ａに向かって拡開する台形状に形成した例について説明したが、下筐体８４のみを台形状に形成しただけでも同様の効果が得られる。
さらに、変形例の携帯端末８７では、上下の筐体８３，８４の一方の側部８５Ａ，８６Ａを傾斜させた例について説明したが、下筐体８４の一方の側部８６Ａのみを傾斜させるだけでも同様の効果が得られる。
【００５０】
第８実施形態
図１０（Ａ），（Ｂ）に示す第８実施形態の携帯端末９０は、第１実施形態の仰角維持手段２２に代えて仰角維持手段９２を備えた点で第１実施形態の携帯端末１０と相違するだけでその他の構成は第１実施形態の携帯端末１０と同じである。
【００５１】
仰角維持手段９２は、上筐体１１の背面９３に設けられた支持部９４を有している。支持部９４は、断面が三角形状に形成され、上筐体１１の一方の側部１８に連続する保持面９４Ａを、一方の側部１８に対して角度θ５となるように傾斜されている。
【００５２】
第８実施形態の携帯端末９０によれば、上筐体１１および下筐体１２の交差角度θ１（図１参照）を、例えば略直角、あるいは直角以上とした状態で、上筐体１１の一方の側部１８を載置面２０に載置するとともに、保持面９４Ａを載置面２０に載置することで、表示部１５の画面１５Ａが所望の仰角θ２の状態に保持される。
【００５３】
第９実施形態
図１１（Ａ）〜（Ｃ）に示す第９実施形態の携帯端末９５は、仰角維持手段９６を備える。この仰角維持手段９６は、上筐体１１の一方の側部１８に収納凹部９７を形成し、この収納凹部９７に収納可能な支持部９８を、ヒンジ９９を介して取出自在に設けたものである。
【００５４】
支持部９８を収納凹部９７から取り出し、図１１（Ｃ）に示すように、上筐体１１の背面９３に配置する。
支持部９８は、断面が三角形状に形成され、上筐体１１の一方の側部１８に連続する保持面９８Ａを、一方の側部１８に対して角度θ５となるように傾斜されている。
【００５５】
第９実施形態の携帯端末９５によれば、第８実施形態の携帯端末９０と同様の効果を得ることができる。
加えて、第９実施形態の携帯端末９５によれば、携帯時や通話時には、支持部を収納凹部内に収納しておくことで、使い勝手性が向上する。
【００５６】
第１０実施形態
図１２（Ａ），（Ｂ）に示す第１０実施形態の携帯端末１００は、仰角維持手段１０２を備える。この仰角維持手段１０２は、上筐体１１の背面９３のうち、一方の側部１８の近傍に収納凹部１０３を形成し、この収納凹部１０３に収納可能な支持部１０４を、ヒンジ１０５を介して取出自在に設けたものである。
【００５７】
支持部１０４を収納凹部１０４から取り出し、図１２（Ｂ）に示すように、上筐体１１の背面９３から突出した状態に配置する。
支持部１０４は、底辺１０５が一方の側部１８に対して角度θ５となるように傾斜されている。
【００５８】
第１０実施形態の携帯端末１００によれば、第８実施形態の携帯端末９０と同様の効果を得ることができる。
加えて、第１０実施形態の携帯端末１００によれば、携帯時や通話時には、支持部を収納凹部内に収納しておくことで、使い勝手性が向上する。
【００５９】
なお、前記実施形態では、仰角維持手段として、下筐体１２に突起部を設けた例と、あるいは上端部１１に支持部を設けた例について説明したが、これに限らないで、仰角維持手段を、下筐体１２に突起部を設けるとともに、上端部１１に支持部を設けるように構成することも可能である。
【産業上の利用可能性】
【００６０】
本発明は、動画再生やＴＶ視聴可能な機能を備えた携帯端末への適用に好適である。
【図面の簡単な説明】
【００６１】
【図１】本発明に係る第１実施形態の携帯端末を示す斜視図である。
【図２】本発明に係る第１実施形態の携帯端末を示す要部拡大図である。
【図３】本発明に係る第１実施形態の携帯端末を載置面に載せた状態を示す説明図である。
【図４】（Ａ）は第２実施形態の突起部を収納した状態を示す斜視図、（Ｂ）は第２実施形態の突起部を突出した状態を示す斜視図である。
【図５】第３実施形態の携帯端末を載置面に載せた状態を説明する図である。
【図６】第４実施形態の携帯端末を載置面に載せた状態を説明する図である。
【図７】（Ａ）は第５実施形態を示す斜視図、（Ｂ）は第５実施形態を示す要部図である。
【図８】第６実施形態の携帯端末を載置面に載せた状態を説明する図である。
【図９】（Ａ）は第７実施形態を示す斜視図、（Ｂ）は第７実施形態の携帯端末を載置面に載せた状態を説明する図、（Ｃ）は第７実施形態の変形例を示す斜視図である。
【図１０】（Ａ）は第８実施形態を示す斜視図、（Ｂ）は第８実施形態の携帯端末を載置面に載せた状態を説明する図である。
【図１１】（Ａ）は第９実施形態を示す斜視図、（Ｂ）は（Ａ）のＡ−Ａ線断面図、（Ｃ）は第７実施形態の携帯端末を載置面に載せた状態を説明する図である。
【図１２】（Ａ）は第１０実施形態の支持部を収納した状態を説明する図、（Ｂ）は第１０実施形態の支持部を突出した状態を説明する図である。
【符号の説明】
【００６２】
１０，３０，４０，５０，６０，７０，８０，８７，９０，９５，１００  携帯端末
１１，８３  上筐体（第１筐体）
１２，８４  下筐体（第２筐体）
１３  境界線に沿った線
１４  ヒンジ部
１５  表示部
１８，８５Ａ  上筐体の一方の側部（側部）
１９，８６Ａ  下筐体の一方の側部（側部）
２０  載置面
θ２  仰角
２２，３２，４２，５２，６２，７２，８２，８８，９２，９６，１０２  仰角維持手段
２５，３５Ｂ，４５，５５，６５，７５  突起部
９３  上筐体の背面（第１筐体の背面）
９４，９８，１０４  支持部  
【図１】
2006135830.tif 000003
【図２】
2006135830.tif 000004
【図３】
2006135830.tif 000005
【図４】
2006135830.tif 000006
【図５】
2006135830.tif 000007
【図６】
2006135830.tif 000008
【図７】
2006135830.tif 000009
【図８】
2006135830.tif 000010
【図９】
2006135830.tif 000011
【図１０】
2006135830.tif 000012
【図１１】
2006135830.tif 000013
【図１２】
2006135830.tif 000014